(57)【要約】【課題】手書き入力によるデータの取り込み及び取り出しを可能な構成を低コストで実現した電気泳動表示装置を提供する。【解決手段】本発明は、対向する素子基板１及び対向基板２の内面側にそれぞれ設けられた画素電極４及び共通電極５間に電気泳動層３が配置される電気泳動表示装置１００において、素子基板１及び対向基板２のいずれか一方の表面に配置され、画素電極４に電気的に接続された電極パッド１０と、電極パッド１０に当接することで画素電極４の電位を制御可能な入力手段１１と、画素電極４に一方が接続されるラッチ回路と、を備えることを特徴とする。【選択図】図１
2013213926.tif 000002
【特許請求の範囲】
【請求項１】
対向する素子基板及び対向基板の内面側にそれぞれ設けられた画素電極及び共通電極間に電気泳動層が配置される電気泳動表示装置において、
前記素子基板及び前記対向基板のいずれか一方の表面に配置され、前記画素電極に電気的に接続された電極パッドと、
前記電極パッドに当接することで前記画素電極の電位を制御可能な入力手段と、
前記画素電極に一方が接続されるラッチ回路と、を備えることを特徴とする電気泳動表示装置。
【請求項２】
前記電極パッドは、パッド部と、該パッド部に接続される引き出し部とを有することを特徴とする請求項１に記載の電気泳動表示装置。
【請求項３】
前記引き出し部は、前記画素電極が設けられた前記素子基板を貫通した状態に配置されることを特徴とする請求項２に記載の電気泳動表示装置。
【請求項４】
前記素子基板が透光性基板から構成されることを特徴とする請求項２又は３に記載の電気泳動表示装置。
【請求項５】
前記引き出し部は、前記共通電極が設けられた前記対向基板を貫通した状態に配置されることを特徴とする請求項２に記載の電気泳動表示装置。
【請求項６】
前記画素電極が複数設けられ、それぞれの前記画素電極に対応する画素領域を区画する隔壁部材をさらに備え、
前記電極パッドは、平面視した状態で前記隔壁部材に重なる領域に配置されることを特徴とする請求項１〜５のいずれか一項に記載の電気泳動表示装置。
【発明の詳細な説明】
【技術分野】
【０００１】
本発明は、電気泳動表示装置に関するものである。
【背景技術】
【０００２】
近年、スマートフォーンやタブレットのようなタッチパネル入力付きの電子機器が増えている。この入力方式は指やペンで表示に触れることで、表示と動作に応じ様々な入力処理ができ、マンマシンインターフェイスとして電子機器の重要な機能となっている。
【０００３】
このような電子機器として、ペン入力可能な電気泳動ディスプレイを備えた電子機器が提案されている（例えば、特許文献１、２参照）。特許文献１には、各画素電極にコイルを設け、ペン入力装置から発生する磁場により誘導された電圧を整流し、画素に電圧を印加することで表示を行う技術が開示されている。また、特許文献２には、電気泳動表示素子から構成された表示部とペン入力タブレットとを積層することでペン入力が可能な電気泳動表示装置が開示されている。
【先行技術文献】
【特許文献】
【０００４】
【特許文献１】特開２００９−１８６８０９号公報
【特許文献２】特開２００５−１８９８５１号公報
【発明の概要】
【発明が解決しようとする課題】
【０００５】
しかしながら、上記特許文献１に開示の技術では、画素電極に印可する電圧をペン入力装置以外では制御することができないため、別途保存されているデジタルデータを表示することができなかった。また、ペン入力により表示したデータをデジタルデータとして取り出すこともできなかった。
【０００６】
上記特許文献２に開示の技術では、上記特許文献１で生じていた問題は解消されているものの、表示部とペン入力タブレットとを積層して使用するため、装置全体が厚く、重くなり、持ち運び性が低下するといった問題があった。また、装置を構成する部品点数が多いため、部材コスト、組み立てコストが上昇してしまうといった問題があった。
【０００７】
本発明はこのような事情に鑑みてなされたものであって、手書き入力によるデータの取り込み及び取り出しを可能な構成を低コストで実現した電気泳動表示装置を提供することを目的とする。
【課題を解決するための手段】
【０００８】
上記課題を解決すべく、本発明の電気泳動表示装置は、対向する素子基板及び対向基板の内面側にそれぞれ設けられた画素電極及び共通電極間に電気泳動層が配置される電気泳動表示装置において、前記素子基板及び前記対向基板のいずれか一方の表面に配置され、前記画素電極に電気的に接続された電極パッドと、前記電極パッドに当接することで前記画素電極の電位を制御可能な入力手段と、前記画素電極に一方が接続されるラッチ回路と、を備えることを特徴とする。
【０００９】
本発明の電気泳動表示装置によれば、入力手段に接触した電極パッドを介してラッチ回路に保持されたデータを制御し、入力手段による入力データを表示させることができる。また、ラッチ回路に複数の画素回路からなるアクティブマトリクスを介してデータを直接書き込むことで画素電極の電位を変化させ、所望の画像を表示することもできる。さらに、全ての画素領域毎のラッチ回路をスキャンすることで、アクティブマトリクスを介して表示したデータと、入力手段で入力されたデータとを一緒に取り込むことができる。また、ラッチ回路はアクティブマトリクスの一部として形成されるため、電極パッドのみを追加する構成となり、アクティブマトリクスを介した表示のみを行うディスプレイに対して部品点数が多くなることもなく、部材コスト、組み立てコストの低減を図ることができる。したがって、アクティブマトリクスによる表示と手書き入力によるデータの取り込み及び取り出しを可能な構成を低コストで実現できる。
【００１０】
前記電極パッドは、パッド部と、該パッド部に接続される引き出し部とを有する構成としてもよい。
この構成によれば、引き出し部を所望の位置に引き回すことで電極パッドが任意の位置に配置されるので、設計自由度を向上させることができる。
【００１１】
前記引き出し部は、前記画素電極が設けられた前記素子基板を貫通した状態に配置される構成としてもよい。
この構成によれば、引き出し部を引き回す距離が短くなるので、製造コストを抑えることができる。
【００１２】
前記素子基板が透光性基板から構成される構成としてもよい。
この構成によれば、素子基板が透光性基板から構成されるので、素子基板側を表示面及びペン入力面として活用することができる。
【００１３】
前記引き出し部は、前記共通電極が設けられた前記対向基板を貫通した状態に配置される構成としてもよい。
この構成によれば、対向基板側を表示面及びペン入力面として活用することができる。
【００１４】
前記画素電極が複数設けられ、それぞれの前記画素電極に対応する画素領域を区画する隔壁部材をさらに備え、前記電極パッドは、平面視した状態で前記隔壁部材に重なる領域に配置される構成としてもよい。
この構成によれば、平面視した状態で隔壁部材に重なる領域に電極パッドが配置されるので、電極パッドが表示を妨げることがなく、表示品質の劣化を抑制できる。
【図面の簡単な説明】
【００１５】
【図１】第１実施形態に係る電気泳動表示装置の概略構成を示す断面図。
【図２】第１実施形態に係る電気泳動表示装置の要部構成を示す図。
【図３】第２実施形態に係る電気泳動表示装置の概略構成を示す断面図。
【図４】第２実施形態に係る電気泳動表示装置の要部構成を示す図。
【発明を実施するための形態】
【００１６】
以下、本発明の実施形態について、図面を参照しつつ説明する。なお、各図においては、各部材を図面上で認識可能な程度の大きさとするため、各部材毎に縮尺を異ならせている。なお、以下で説明する本実施形態に係る電気泳動表示装置は、入力手段を介して表示部に書き込まれたデータを表示するとともに、表示部に所望の画像を表示することができる入力機能付きの電気泳動表示装置である。
【００１７】
（第１実施形態）
図１は第１実施形態に係る電気泳動表示装置の概略構成を示す断面図である。図２は第１実施形態に係る電気泳動表示装置の要部構成を示す図である。
【００１８】
図１に示すように電気泳動表示装置１００は、素子基板１と、対向基板２と、該素子基板１及び対向基板２間に配置される電気泳動層３と、を備えている。電気泳動層３は、素子基板１の内面側に設けられた画素電極４と、対向基板２の内面側に設けられた共通電極５との間に配置されている。
【００１９】
素子基板１の電気泳動層３側には複数の画素電極４が配列形成されている。画素電極４は、基材１Ａ上に形成された絶縁膜７上に形成されている。また、基材１Ａ上には、画素電極４への印加電圧を制御するための画素回路２０が設けられており、該画素回路２０は絶縁膜７により覆われている。
【００２０】
基材１Ａは、ガラスやプラスチック等からなる基板であり、画像表示面とは反対側に配置されるため透明なものでなくてもよい。画素電極４は、Ｃｕ箔上にニッケルめっきと金めっきとをこの順で積層したものや、Ａｌ、ＩＴＯ（インジウム錫酸化物）などにより形成された電極である。なお、図示は省略しているが、画素電極４と素子基板１との間には、走査線、データ線、ラッチ回路、及び選択トランジスタ等も形成されている。
【００２１】
素子基板１には、画素電極４を覆うように隔壁部材６が形成されている。隔壁部材６は、各画素電極４に対応して設けられる画素（画素領域）Ｇを区画するものである。隔壁部材６は、隣り合う画素Ｇを区画する隔壁部６ａと、該隔壁部６ａ間を接続する底部６ｂとを含む。
【００２２】
隔壁部材６の材料としては、例えばアクリル樹脂やエポキシ樹脂が用いられる。隔壁部材６は、画素電極４を覆うように上記樹脂層を形成した後、該樹脂層にエンボス加工を施すことで形成される。エンボス加工では、画素Ｇの大きさに対応した凹凸形状を有する雄型を樹脂層に押圧することで隔壁部材６における上記隔壁部６ａ及び底部（境界層）６ｂを形成する。
【００２３】
画素電極４は、隔壁部材６が区画する各画素Ｇに対応して配置されている。画素電極４は、各画素Ｇの幅よりも大きく形成されている。すなわち、画素電極４の幅方向における両端部は、平面視した状態で隔壁部材６の隔壁部６ａと重なっている。
【００２４】
対向基板２は、ガラスやプラスチック等からなる基板であり、画像表示側に配置されるため透明基板とされる。対向基板２の電気泳動層３側には複数の画素電極４と対向する平面形状の上記共通電極５が形成されており、共通電極５上に電気泳動層３が設けられている。共通電極５は、ＭｇＡｇ、ＩＴＯ、ＩＺＯ（インジウム・亜鉛酸化物）などから形成された透明電極である。
【００２５】
電気泳動層３は、分散媒３０中に分散された複数の電気泳動粒子３１から構成される。電気泳動粒子３１は、例えば白色粒子３１ａ及び黒色粒子３１ｂを含む。
【００２６】
分散媒３０としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００２７】
白色粒子３１ａは、例えば、二酸化チタン、亜鉛華、三酸化アンチモン等の白色顔料からなる粒子（高分子あるいはコロイド）であり、例えば負に帯電されて用いられる。黒色粒子３１ｂは、例えば、アニリンブラック、カーボンブラック等の黒色顔料からなる粒子（高分子あるいはコロイド）であり、例えば正に帯電されて用いられる。これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
【００２８】
また、白色粒子３１ａ及び黒色粒子３１ｂに代えて、例えば赤色、緑色、青色などの顔料を用いてもよい。この構成によれば、赤色、緑色、青色などを表示することでカラー表示を行うことができる電気泳動表示装置１００を提供できる。
【００２９】
このような構成に基づき、電気泳動表示装置１００は、各画素Ｇにおいて画素電極４及び共通電極５間で所定の電圧を印加することで電気泳動層３中の電気泳動粒子３１（白色粒子３１ａ及び黒色粒子３１ｂ）を対向基板２側に移動させることで画素Ｇごとに白黒表示をし、全体として所望の画像を表示できるようになっている。
【００３０】
ところで、本実施形態に係る電気泳動表示装置１００は、画像表示面をなす対向基板２の表面に当接することで手書きによる任意のデータを入力可能な入力手段１１を有している。入力手段１１は、電源部１１ａと、入力用ペン１１ｂとを有する。正負極性を切り替え可能な電源部１１ａは一方の端子側が共通電極５に接続されており、他方の端子側が入力用ペン１１ｂに接続されている。
【００３１】
本実施形態に係る対向基板２の表面２ａには複数の電極パッド１０が配置されている。具体的に電極パッド１０は、各画素電極４からは表面２ａに引き出された状態に形成されている。電極パッド１０は、パッド部１０ａと引き出し部１０ｂとを含む。パッド部１０ａ及び引き出し部１０ｂは、例えば銅箔やアルミ、ＩＴＯ等の透明電極等の導電材料から構成される。
【００３２】
この構成に基づき、電極パッド１０は、パッド部１０ａに入力手段１１の入力用ペン１１ｂが当接すると、引き出し部１０ｂを介して画素電極４に入力用ペン１１ｂの電位を書き込めるようになっている。また、引き出し部１０ｂを設けることで所望の位置に電極パッド１０を引き出すことが可能となり、設計自由度を向上させることができる。
【００３３】
パッド部１０ａは平面視で、引き出し部１０ｂの平面形状よりも面積が大きくなっている。これにより、入力用ペン１１ｂとの接触面積を拡大させている。なお、パッド部１０ａの形状は円形状、四角形状、三角形状、菱形形状、楕円形状等のいずれであっても構わない。
【００３４】
パッド部１０ａの表面は、対向基板２の表面２ａと同じ高さに形成されている。これにより、対向基板２の表面２ａには電極パッド１０に起因する凹凸が無い状態とされており、後述するように入力用ペン１１ｂが表面２ａに当接した際に凹凸による引っ掛かりの発生を防止している。
【００３５】
図２に示すように、引き出し部１０ｂは隔壁部材６の隔壁部６ａ、共通電極５、及び対向基板２を貫通した状態でパッド部１０ａに接続されている。これによれば、引き出し部１０ｂを引き回す距離を短くできるので、製造コストを抑えることができる。なお、共通電極５には、引き出し部１０ｂを挿通させるための開口５ａが形成されている（図２参照）。これにより、導電性を有する引き出し部１０ｂと共通電極５とが接触することでショートするのを防止している。なお、図２においては電極パッド１０の構成を概念的に説明するため、画素Ｇを区画する隔壁部材６の絵を省略するとともに、引き出し部１０ｂが実際とは異なる画素電極４の略中央に接続されたものとしている。
【００３６】
本実施形態においては、電極パッド１０を構成するパッド部１０ａ及び引き出し部１０ｂのいずれもが隔壁部材６の隔壁部６ａと平面的に重なる領域に形成されたものとなっている。これにより、電極パッド１０が各画素Ｇの表示を妨げることがなく、表示品質の劣化を抑制するようになっている。
【００３７】
また、開口５ａの開口端或いは開口端に対向する部分の引き出し部１０ｂに絶縁膜を設けるようにしてもよい。これによれば、仮に引き出し部１０ｂが開口５ａの開口端に接触したとしても絶縁膜により引き出し部１０ｂ及び共通電極５間でショートするのを防止することができる。また、引き出し部１０ｂは、隔壁部６ａ内を通って対向基板２の表面２ａ側に引き出されているため、電気泳動層３に接触することがない。よって、後述する電気泳動層３を構成する分散媒３０と絶縁することができる。
【００３８】
図２に示されるように各画素電極４には画素回路２０が電気的に接続されている。画素回路２０は、画素電極４に電気的に接続されたラッチ回路２１と、選択トランジスタＴ１、Ｔ２と、該選択トランジスタを介してラッチに接続されるビット線ＢＬ１、ＢＬ２と、選択トランジスタの開閉を制御するワード線と、を含む。
【００３９】
ビット線ＢＬ１、ＢＬ２およびワード線ＷＬは、画素電極４の駆動制御、および、データの読み出し制御をする不図示の駆動制御部に接続されている。また、ビット線ＢＬ２には、ビット線ＢＬ１の反転信号が入力されるようになっている。駆動制御部は、電気泳動表示装置１００に表示する表示画像に基づいて決定されたデータを上記ビット線ＢＬ１、ＢＬ２を介してラッチ回路２１（画素電極４）に書き込むためのものである。また、駆動制御部は、後述のようにラッチ回路２１に保持されたデータを上記ビット線ＢＬ１、ＢＬ２を介して読み出し可能となっている。
【００４０】
このような構成に基づき、ラッチ回路２１は画素電極４の電位を制御可能となっている。具体的にラッチ回路２１は、上記ビット線ＢＬ１、ＢＬ２を介して駆動制御部から書き込まれたデータを保持し、画素電極４の電位を保持したデータに応じた値に変化させることができるようになっている。また、ラッチ回路２１は、上述のように入力用ペン１１ｂにより画素電極４に書き込まれた電位を保持することもできるようになっている。
【００４１】
続いて、本実施形態に係る電気泳動表示装置１００の動作について説明する。なお、以下の説明では電気泳動表示装置１００の動作として通常の画像表示動作及び入力手段１１による入力動作について述べる。
【００４２】
電気泳動表示装置１００は、画像表示を行う場合、駆動制御部がワード線ＷＬをＨ（Ｈｉｇｈ）として選択トランジスタＴ１、Ｔ２をオンにする。これにより、表示画像に基づいて決定されたデータ（Ｈ又はＬ）が上記ビット線ＢＬ１、ＢＬ２を介してラッチ回路２１に書き込まれる。ラッチ回路２１にデータが書き込まれると同時に、該ラッチ回路２１に電気的に接続された画素電極４の電位を変化させることができる。
【００４３】
具体的に電気泳動表示装置１００は、ある画素Ｇにて白表示を行う場合、共通電極５を高電位としておき、画素電極４を相対的に低電位に保持するデータをラッチ回路２１（画素電極４）に書き込む。これにより、負に帯電した白色粒子３１ａが共通電極５に引き寄せられる一方、正に帯電した黒色粒子３１ｂが画素電極４に引き寄せられる。その結果、表示面側となる対向基板２側からこの画素Ｇを見ると、白色が認識されることなり、電気泳動表示装置１００は白色表示を行うことができる。
【００４４】
また、電気泳動表示装置１００は、ある画素Ｇにて黒表示を行う場合、共通電極５を低電位としておき、画素電極４を相対的に高電位に保持するデータをラッチ回路２１（画素電極４）に書き込む。これにより、正に帯電した黒色粒子３１ｂが共通電極５に引き寄せられる一方、負に帯電した白色粒子３１ａが画素電極４に引き寄せられる。その結果、表示面側となる対向基板２側からこの画素Ｇを見ると黒色が認識されることとなり、電気泳動表示装置１００は黒色表示を行うことができる。
【００４５】
また、電気泳動表示装置１００は、入力手段１１による場合、駆動制御部２５がワード線ＷＬをＬ（Ｌｏｗ）として選択トランジスタＴ１、Ｔ２をオフにする。ユーザーは、入力手段１１の入力用ペン１１ｂを対向基板２の表面２ａに対して摺接させる。このとき、表面２ａに配置されたパッド部１０ａに当接した入力用ペン１１ｂは、引き出し部１０ｂを介してラッチ回路２１の保持データを書き換える。すなわち、ラッチ回路２１に電気的に接続される画素電極４の電位は入力用ペン１１ｂと同電位に書き換えられる。これにより、電気泳動表示装置１００は、入力用ペン１１ｂの先端が表面２ａを通過した軌跡に応じた画素Ｇを電源部１１ａの極性に応じて黒色或いは白色にすることで表示面内の画像に手書きによる筆跡（軌跡）を追加表示することができる。
【００４６】
また、電気泳動表示装置１００は、駆動制御部が全ての画素Ｇに接続されたラッチ回路２１に保持されるデータをビット線ＢＬ１、ＢＬ２を介して読み出すことができる。よって、画像表示面をなす対向基板２の表面２ａにもともと表示されていた画像データと、入力用ペン１１ｂで入力された画像データとを一緒に取り出すことができる。
【００４７】
以上述べたように本実施形態に係る電気泳動表示装置１００によれば、入力手段１１に接触した電極パッド１０を介してラッチ回路２１に保持されたデータを制御し、入力手段１１による入力データを表示させることができる。また、ラッチ回路２１に複数の画素回路からなるアクティブマトリクスを介してデータを直接書き込むことで画素電極４の電位を変化させ、所望の画像を表示することもできる。さらに、全ての画素Ｇの画素回路２０をスキャンすることで、アクティブマトリクスを介して表示していたデータと、入力手段１１で入力されたデータとを一緒に取り込むことができる。また、ラッチ回路はアクティブマトリクスの一部として形成されるため、電極パッド１０のみを追加する構成となり、アクティブマトリクスを介した表示のみを行うでぃうスプレイに対して部品点数が多くなることもなく、部材コスト、組み立てコストの低減を図ることができる。したがって、アクティブマトリクスによる表示と手書き入力によるデータの取り込み及び取り出しを低コストで実現することができる。
【００４８】
また、本実施形態においては、電極パッド１０が隔壁部材６の隔壁部６ａと平面的に重なる領域に形成されたものとなっているので、電極パッド１０が各画素Ｇの表示を妨げることがなく、表示品質の劣化を抑制できる。
【００４９】
（第２実施形態）
続いて、本発明の第２実施形態について説明する。本実施形態と上記第１実施形態との違いは電極パッド１０が配置される位置である。そこで、以下の説明では上記実施形態と同一の部材及び構成については同じ符号を付し、その詳細な説明については省略若しくは簡略化するものとする。
【００５０】
図３は第２実施形態に係る電気泳動表示装置の概略構成を示す断面図である。図４は第２実施形態に係る電気泳動表示装置の要部構成を示す図である。
図３に示すように本実施形態に係る電気泳動表示装置２００においては、素子基板１の表面１ａに電極パッド１０が引き出された状態に形成されている。この構成に基づき、電極パッド１０は、パッド部１０ａに入力手段１１の入力用ペン１１ｂが当接すると、引き出し部１０ｂを介して画素電極４に入力用ペン１１ｂの電位を書き込めるようになっている。すなわち、本実施形態においては、素子基板１の表面１ａが画像表示面を構成し、入力手段１１は素子基板１の表面１ａに当接されるようになっている。すなわち、本実施形態に係る素子基板１の基材１Ａは、ガラスやプラスチック等の透光性基板から構成されている。
【００５１】
本実施形態に係るパッド部１０ａの表面は、素子基板１の表面１ａと同じ高さに形成されている。これにより、素子基板１の表面１ａには電極パッド１０に起因する凹凸が無い状態とされており、後述するように入力用ペン１１ｂが表面１ａに当接した際に凹凸による引っ掛かりの発生を防止している。
【００５２】
図４に示すように本実施形態に係る引き出し部１０ｂは絶縁膜７及び素子基板１を貫通した状態でパッド部１０ａに接続されている。また、本実施形態においても、電極パッド１０を構成するパッド部１０ａ及び引き出し部１０ｂのいずれもが隔壁部材６の隔壁部６ａと平面的に重なる領域に形成されたものとなっている。これにより、電極パッド１０が各画素Ｇの表示を妨げることがなく、表示品質の劣化を抑制するようになっている。なお、図４においては電極パッド１０の構成を概念的に説明するため、画素Ｇを区画する隔壁部材６の絵を省略するとともに、引き出し部１０ｂが実際とは異なる画素電極４の略中央に接続されたものとしている。
【００５３】
各画素電極４には画素回路２０が電気的に接続されている。このような構成に基づき、ラッチ回路２１は画素電極４の電位を制御可能となっている。具体的にラッチ回路２１は、上記ビット線ＢＬ１、ＢＬ２を介して駆動制御部から書き込まれたデータを保持し、画素電極４の電位を保持したデータに応じた値に変化させることができるようになっている。また、ラッチ回路２１は、上述のように入力用ペン１１ｂにより画素電極４に書き込まれた電位を保持することもできるようになっている。
【００５４】
本実施形態に係る電気泳動表示装置２００の動作は、第１実施形態に係る電気泳動表示装置１００と同様であるため、その説明については省略する。以上述べたように本実施形態に係る電気泳動表示装置２００によれば、素子基板１の表面１ａに所望の画像を表示するとともに手書き入力による画像も表示させることができる。よって、手書き入力によるデータの取り込み及び取り出しを低いコストで実現することができる。
【００５５】
以上、発明の一実施形態について説明したが、本発明はこれに限定されることはなく、発明の主旨を逸脱しない範囲内において適宜変更可能である。例えば、上記実施形態では隔壁部材６により区画される各画素Ｇに分散媒３０中に電気泳動粒子３１を分散させた電気泳動層３を配置した場合を例に挙げたが、画素Ｇ毎に分散媒３０及び複数の電気泳動粒子３１が封入した球状のマイクロカプセルを配置した構成を採用しても良い。この場合、隔壁部材６を不要にすることができ、上記引き出し部１０ｂはマイクロカプセルの隙間を通って対向基板２側に引き出される。
【００５６】
また、上記実施形態ではラッチ回路２１に２本のビット線ＢＬ１、ＢＬ２が接続される場合を例に挙げたが、本発明はこれに限定されず、１本のビット線のみが接続された構成であっても構わない。
【符号の説明】
【００５７】
１…素子基板、１ａ，２ａ…表面、２…対向基板、３…電気泳動層、４…画素電極、５…共通電極、６…隔壁部材、６ａ…隔壁部、Ｇ…画素（画素領域）、１０…電極パッド、１０ａ…パッド部、１０ｂ…引き出し部、１１…入力手段、２０…画素回路、２１…ラッチ回路、１００，２００…電気泳動表示装置
【図１】
2013213926.tif 000003
【図２】
2013213926.tif 000004
【図３】
2013213926.tif 000005
【図４】
2013213926.tif 000006